【事件の表示】
　特許第３０９７３７０号「過酸化水素の測定方法」の請求項１に係る特許に対する特許異議の申立てについて、次のとおり決定する。
【結　論】
　訂正を認める。
　特許第３０９７３７０号の請求項１に係る特許を維持する。
【理　由】
Ｉ．手続の経緯
　本件特許第３０９７３７０号の請求項１に係る発明についての出願は、平成４年１２月２８日に特願平４−３５８７４９号として出願され、平成１２年８月１１日にその特許の設定登録がなされ、その後、林　純より特許異議申立がなされ、取消理由通知がなされ、その指定期間内である平成１３年８月２１日に訂正請求がなされたものである。
　
II．訂正請求
１．訂正の内容
　特許公報４欄３１行及び５欄３８行に記載の「特願平３−３５１１９９号」を「特願平３−３５１１９９号を優先権の基礎として出願をした特願平４−３１４２８８号（特開平５−２２９９９３号）」に訂正する。
２．訂正の目的の適否、新規事項の有無及び拡張・変更の存否
　上記訂正事項は、「特願平３−３５１１９９号」を「特願平３−３５１１９９号を優先権の基礎として出願をした特願平４−３１４２８８号（特開平５−２２９９９３号）」に訂正するものであるから明りょうでない記載の釈明に該当し、また、この訂正は新規事項に該当せず、実質上特許請求の範囲を拡張し、又は変更するものではない。
３．むすび
　以上のとおりであるから、本件訂正請求は、特許法１２０条の４,２項、及び同条３項で準用する１２６条２項、３項の規定に適合するので、請求のとおり当該訂正を認める。
　
III．特許異議申立
１．特許異議申立書の理由の概要
　特許異議申立人は、甲第１号証乃至甲第２号証を提出し、訂正前の本件請求項１に係る発明は、甲第１号証及び甲第２号証に記載された発明に基づき当業者が容易に発明をすることができたものであるから、特許法２９条２項の規定に違反し、或いは、本件明細書の発明の詳細な説明の記載に不備なところがあるから、同法３６条４項の規定に違反すると主張している。
　　　　　　　　　記
甲第１号証：特開昭６１−１４６１９６号公報
甲第２号証：特開平３−２０６８９６号公報
２．特許法２９条２項違反について
　甲第１号証には、特許請求の範囲の項に、
「１．Ｈ２Ｏ２供給オキシダーゼによって生成されるＨ２Ｏ２の測色的測定を、発色系を加えかつ形成された色素を測定することによって改善する方法において、試薬溶液にスーパーオキシドジスムターゼE.C.1.15.1.1を加えることを特徴とする前記方法。
５．発色系として、ペルオキシダーゼ、・・・
１０．Ｈ２Ｏ２供給オキシダーゼとして、サルコシンオキシダーゼ、ウリガーゼ又はオキサレートオキシダーゼを使用する特許請求の範囲第１項から第９項までのいづれか１項記載の方法。」、そして発明の詳細な説明の項には「従って本発明の課題は、Ｈ２Ｏ２供給オキシダーゼの反応の検出そのものの感度を明瞭に高めることができかつ対応する検量線を作る際の軸部分の出現を防止し、従ってＨ２Ｏ２供給オキシダーゼの反応の検出を著しく改善する方法を創作することである。」（４頁左下欄３〜８行）及び「本発明による添加物によって、Ｈ２Ｏ２の検出感度は、特に有利な、トリンダータイプの発色系の場合には、約２２〜３４％増大させることができ（・・・）、同時に検量線をつくる際の軸部分の出現（・・・）は、回避することができるか又は少なくとも分析的にもはや問題にならない程度にまで減少させることができる。」（６頁右上欄１４行〜左下欄４行）がそれぞれ記載されている。
　甲第２号証には、特許請求の範囲の項に、
「１．次式（Ｉ）：（Ｉ）・・・［・・・］で表される化合物を発色剤として用いることを特徴とする体液中の微量成分の定量法。」、そして発明の詳細な説明には、「本発明の原理は式（Ｉ）で示される化合物［還元体］と過酸化水素がパーオキシダーゼ存在下に化学量論的に反応し、色素［酸化体］を生成し、この色素の生成量は過酸化水素の含有量に比例することに基づくものである。」（２頁右下欄１２〜１６行）、及び「本発明の式(Ｉ)で表される化合物は、トリフェニルメタントリアミノ誘導体であり、・・・」（３頁左上欄１０〜１１行）が、それぞれ記載されている。
　よって検討するに、訂正後の請求項１に係る発明（以下、「本件発明」という。）は、
「パーオキシダーゼ及び一般式（【化１】・・・）で表わされるトリフェニルメタン誘導体を用いる過酸化水素の測定方法において、スパーオキシドジスムターゼの存在下行うことを特徴とする該測定方法。」であるところ、甲第２号証には、パーオキシダーゼの存在下にトリフェニルメタン誘導体を発色剤として過酸化水素の含有量を測定する記載はあるものの、スーパーオキシドジスムターゼについて言及されているところはない。
　また、甲第１号証には、Ｈ２Ｏ２供給オキシダーゼに発色系たるペルオキシダーゼとスーパーオキシドジスムターゼとを加えることにより過酸化水素を測定する記載はあるが、甲第１号証において、スーパーオキシドジスムターゼを加えるのは、「Ｈ２Ｏ２供給オキシダーゼの反応の検出を著しく改善する」ためであって、本件発明と加える目的を異にするものである。
　しかも、本件発明においては、「過酸化水素濃度として０．１μＭ程度までの測定が可能である。従来の方法に比べ２〜４倍の感度で行うことができる。」（特許公報４頁８欄３５〜３８行）という格別の効果を奏するところ、甲第１号証においは、スーパーオキシドジスムターゼ加えることにより、Ｈ２Ｏ２の検出感度を精々約２２〜３４％増大させるにすぎない。
　そうすると、本件発明は、甲第１号証及び甲第２号証に記載された発明に基づき当業者が容易に想到し得る域を超えているといえる。
３．特許法３６条４項違反について
　特許異議申立人の明細書の記載不備に関する主張は次のとおりである。
　すなわち、本件発明で用いる一般式（Ｉ）の化合物中には、甲第２号証に記載されていない化合物が含まれており、これについてはその製造法が全く記載されていないから、当業者が該化合物を作ることができず、発明の詳細な説明に当業者が容易に実施をすることができる程度に記載されてない。
　しかるに、甲第２号証には、本件発明に係る「トリフェニルメタン誘導体」と類似の基本骨格を有する化合物が記載されているのであるから、例え、本件発明に係る一部の化合物が甲第２号証に具体的に記載されていなくても、当時の技術常識を勘案すると、該化合物は通常は製造できると解されるところ、特許異議申立人は、実験例でもって具体的に立証することなく、単に作ることができないと主張しているにすぎないから、上記主張は採用できない。
４．まとめ
　以上のとおりであるから、特許異議申立の理由及び証拠によっては、本件発明についての特許を取り消すことはできない。
　また他に本件発明についての特許を取り消すべき理由を発見しない。
　よって、結論のとおり決定する。
【異議決定日】
平成１３年９月５日（２００１．９．５）
【訂正の要旨】
（訂正の要旨）
　特許公報４欄３１行及び５欄３８行に記載の「特願平３−３５１１９９号」を、明りょうでない記載の釈明を目的として「特願平３−３５１１９９号を優先権の基礎として出願をした特願平４−３１４２８８号（特開平５−２２９９９３号）」に訂正する。
（５４）【発明の名称】
過酸化水素の測定方法
（５７）【特許請求の範囲】
　【請求項１】　パーオキシダーゼ及び一般式
　【化１】
で表わされるトリフェニルメタン誘導体を用いる過酸化水素の測定方法において、スパーオキシドジスムターゼの存在下行うことを特徴とする該測定方法。
（式中、Ｒ１及びＲ３は、水素原子、炭素数１〜４のアルキル基又はスルホ基、水酸基もしくはスルホ基のアルカリ金属塩基の置換基を有する炭素数１〜４の置換アルキル基、
　Ｒ２及びＲ４は、スルホ基、水酸基もしくはスルホ基のアルカリ金属塩基の置換基を有する炭素数１〜４の置換アルキル基、
　Ｒ５は、水素原子、塩素原子、臭素原子、ヨウ素原子、炭素数１〜４のアルキル基又は−Ｎ（Ｒ９）Ｒ１０で表わされる基であり、
　Ｒ９は水素原子、炭素数１〜４のアルキル基又は、スルホ基、水酸基もしくはスルホ基のアルカリ金属塩基の置換基を有する炭素数１〜４の置換アルキル基、Ｒ１０はスルホ基、水酸基もしくはスルホ基のアルカリ金属塩基の置換基を有する炭素数１〜４の置換アルキル基、Ｒ６，Ｒ７及びＲ８は、水素原子、炭素数１〜４のアルキル基又は炭素数１〜３のアルコキシ基である）。
【発明の詳細な説明】
　【０００１】
　【産業上の利用分野】
　本発明は、過酸化水素の測定方法に関する。
　更に詳しくは、パーオキシダーゼ（以下ＰＯＤという）及び一般式
　【化２】
（式中、Ｒ１及びＲ３は、水素原子、炭素数１〜４のアルキル基又はスルホ基、水酸基もしくはスルホ基のアルカリ金属塩基の置換基を有する炭素数１〜４の置換アルキル基、Ｒ２及びＲ４は、スルホ基、水酸基もしくはスルホ基のアルカリ金属塩基の置換基を有する炭素数１〜４の置換アルキル基、Ｒ５は、水素原子、塩素原子、臭素原子、ヨウ素原子、炭素数１〜４のアルキル基又は−Ｎ（Ｒ９）Ｒ１０で表わされる基であり、Ｒ９は水素原子、炭素数１〜４のアルキル基又は、スルホ基、水酸基もしくはスルホ基のアルカリ金属塩基の置換基を有する炭素数１〜４の置換アルキル基、Ｒ１０はスルホ基、水酸基もしくはスルホ基のアルカリ金属塩基の置換基を有する炭素数１〜４の置換アルキル基、Ｒ６，Ｒ７及びＲ８は、水素原子、炭素数１〜４のアルキル基又は炭素数１〜３のアルコキシ基である）。で表わされるトリフェニルメタン誘導体を用いる過酸化水素の測定方法において、スパーオキシドジスムターゼ（以下ＳＯＤという）の存在下行う過酸化水素の測定方法に関する。
　【０００２】
　【従来の技術】
　従来、過酸化水素を測定する方法として、ＰＯＤの存在下トリンダー試薬と４−アミノアソチピリンとを反応させて、生成する酸化縮合色素を測定する方法が知られている（Ｋ．Ｔａｍａｏｋｕ；Ａｎａｌ．Ｃｈｉｍ．Ａｃｔａ．；
１３６
　この問題点を解決するため、ＰＯＤと発色試薬としてトリフェニルメタン誘導体とを用いる方法が見い出され、過酸化水素の測定に用いられている（特願平３−２０６８９６号及び特願平３−３５１１９９号を優先権の基礎として出願をした特願平４−３１４２８８号（特開平５−２２９９９３号）参照）。
　【０００３】
　【発明が解決しようとする課題】
　しかし、トリフェニルメタン誘導体を用いることにより過酸化水素の濃度が０．３μＭ程度までの測定が可能となったものの、臨床検査の分野の分析においては更なる高感度化が要求されているのが現状である。そして有効な測定方法の出現が久しく期待されていた。
　【０００４】
　【課題を解決するための手段】
　本発明者らは、更なる高感度過酸化水素の測定方法を見い出すべく鋭意研究した結果、過酸化水素を含む溶液に、ＰＯＤと前記一般式（Ｉ）で表わされるトリフェニルメタン誘導体を用いる方法において、更にＳＯＤを加えて行う測定方法を見い出し本発明を完成した。
　【０００５】
　本発明の測定方法は、まず過酸化水素を含む検体に溶液中で発色試薬として前記一般式（Ｉ）で表わされるトリフェニルメタン誘導体、ＰＯＤ及びＳＯＤとを加えて反応させ、生成する色素を測定することにより行うことができる。測定に用いる前記一般式（Ｉ）で表わされるトリフェニルメタン誘導体は、１０〜５００μＭであればよく、好ましくは１００〜２００μＭ用いることができる。またＰＯＤの添加量は、１００〜１０，０００Ｕ／Ｌであり、好ましくは１，０００〜３，０００Ｕ／Ｌである。ＳＯＤの添加量は、１０，０００〜１，０００，０００Ｕ／Ｌであるが、効率よく行うためには６０，０００〜２００，０００Ｕ／Ｌである。
　【０００６】
　反応は、ｐＨが５〜８の緩衝液中で行うことが好ましく、用いる緩衝液としては、例えばトリス−コハク酸緩衝液、トリス−塩酸緩衝液等を挙げることができる。反応は、１０〜５０℃で行うことができるが、通常３７℃付近で行うことが好ましい。
　反応後の色素の測定は、反応溶液を一定時間反応させた後、吸光度を測定するか又は、反応停止液を加えた後吸光度を測定する方法により行うことができる。さらに吸光度の変化率を測定するレート法を用いて測定を行うこともできる。
　また、さらに本発明の測定対象物である過酸化水素の代りにＰＯＤの活性測定も行うことができる。
　【０００７】
　本発明の測定物質である過酸化水素は、検体中に含まれる過酸化水素の他、例えば酵素反応等により生成する過酸化水素も測定対象とすることができる。この過酸化水素の生成反応としては、基質と酸化酵素との反応を挙げることができ、例えばグルコースとグルコースオキシダーゼ、コレステロールとコレステロールオキシダーゼ、尿酸とウリカーゼ、ガラクトースとガラクトースオキシダーゼ、乳酸と乳酸オキシダーゼ等の反応である。
　すなわち、酵素反応により生成する過酸化水素を測定することにより、基質量の測定又は酸化酵素活性の測定を行うことができる。
　【０００８】
　本発明で用いるＳＯＤとしては、市販又は容易に入手可能なＳＯＤを用いることができ、例えばＣｕ−ＳＯＤ，Ｚｎ−ＳＯＤ，ＥＣ−ＳＯＤ（Ｅｘｔｒａ　Ｃｅｌｌｕｌａｒ），Ｍｎ−ＳＯＤ，Ｆｅ−ＳＯＤ等を挙げることができる。
　【０００９】
　また前記一般式（Ｉ）で表わされるトリフェニルメタン誘導体は、市販されているトリフェニルメタン骨格を有する化合物のほか、特願平３−３５１１９９号を優先権の基礎として出願をした特願平４−３１４２８８号（特開平５−２２９９９３号）に示されるトリフェニルメタン誘導体等を挙げることができる。このトリフェニルメタン誘導体としては、例えば４，４′，４″−トリ〔Ｎ，Ｎ−ジ（３−スルホプロピル）アミノ〕トリフェニルメタン　六ナトリウム塩、ビス〔４−（Ｎ−エチル−Ｎ−（３−スルホプロピル）アミノ−２−メトキシフェニル）〕〔４−（Ｎ，Ｎ−ジエチルアミノ）フェニル〕メタン　二ナトリウム塩、ビス〔４−（Ｎ−エチル−Ｎ−（３−スルホプロピル）アミノフェニル）〕〔４−（Ｎ，Ｎ−ジエチルアミノ）フェニル〕メタン　二ナトリウム塩、ビス〔４−（Ｎ−エチル−Ｎ−（２−ヒドロキシ−３−スルホプロピル）アミノ−２−メチルフェニル）〕〔４−（Ｎ，Ｎ−ジエチルアミノ）フェニル〕メタン　二ナトリウム塩、ビス〔４−（Ｎ−エチル−Ｎ−（３−スルホプロピル）アミノ−２−メトキシフェニル）〕〔４−（Ｎ，Ｎ−ジメチルアミノ）フェニル〕メタン　二ナトリウム塩、ビス〔４−（Ｎ−エチル−Ｎ−（３−スルホプロピル）アミノフェニル）〕〔４−（Ｎ，Ｎ−ジメチルアミノ）フェニル〕メタン　二ナトリウム塩、ビス〔４−（Ｎ−エチル−Ｎ−（２−ヒドロキシ−３−スルホプロピル）アミノ−２−メチルフェニル）〕〔４−（Ｎ，Ｎ−ジメチルアミノ）フェニル〕メタン　二ナトリウム塩、ビス〔４−（Ｎ−エチル−Ｎ−（３−スルホプロピル）アミノフェニル）〕（４−クロロフェニル）メタン　二ナトリウム塩、ビス〔４−（Ｎ−エチル−Ｎ−（３−スルホプロピル）アミノフェニル）〕（４−ヒドロキシフェニル）メタン　二ナトリウム塩、ビス〔４−（Ｎ−エチル−Ｎ−（３−スルホプロピル）アミノフェニル）〕（２−スルホフェニル）メタン　三ナトリウム塩等を挙げることができる。
　【００１０】
　【実施例】
　本発明を以下に示す実施例によりさらに詳細に説明する。
　【００１１】
実施例１
過酸化水素の測定
　ＳＯＤ　１２０，０００Ｕ／Ｌ、ＰＯＤ１，５００Ｕ／Ｌ及び４，４，′４″−トリ〔Ｎ，Ｎ−ジ（３−スルホプロピル）アミノ〕トリフェニルメタン　六ナトリウム塩１５０μＭを含むトリス−コハク酸緩衝液（ｐＨ＝６．５，５０ｍＭ）の試液１ｍｌに過酸化水素（０〜２５０μＭ）を含む被検液１０μｌを加え３７℃で１０分間放置した。放置後、波長５９５ｎｍにて過酸化水素を含まない被検液を対照に吸光光度計により吸光度を測定した。同様にして前記試液からＳＯＤを除いて測定したものと比較し、その結果を図１に示す。
　【００１２】
実施例２
グルコースの測定（１）
　グルコースオキシダーゼ（アスペルギウス由来、天野製薬社製）５０，０００Ｕ／Ｌ、ムタロターゼ（ブタ腎臓由来、天野製薬社製）１０，０００Ｕ／Ｌ、ＳＯＤ１２０，０００Ｕ／Ｌ、ＰＯＤ１，５００Ｕ／Ｌ、４，４，′４″−トリ〔Ｎ，Ｎ−ジ（３−スルホプロピル）アミノ〕トリフェニルメタン　六ナトリウム塩１５０μＭを含むトリス−コハク酸緩衝液（ｐＨ＝６．５、５０ｍＭ）の試液２ｍｌにグルコース（０〜７ｍｇ／ｄｌ）を含む被検液１０μｌを加え、３７℃で１０分間放置した。放置後、波長、５９５ｎｍにて０ｍｇ／ｄｌグルコースを対照に吸光度を測定した。同様にして前記試液からＳＯＤを除いて測定したものと比較し、その結果を図２に示す。
　【００１３】
実施例３
グルコースの測定（２）
　実施例２で用いた４，４′，４″−トリ〔Ｎ，Ｎ−ジ（３−スルホプロピル）アミノ〕トリフェニルメタン　六ナトリウム塩の代りにビス〔４−〔（Ｎ−エチル−Ｎ−（３−スルホプロピル）アミノ〕フェニル〕〔４−（Ｎ，Ｎ−ジエチルアミノ）フェニル〕メタン　二ナトリウム塩を用いた試液を用い実施例２と同様にグルコースを測定し吸光度を測定した。その結果を図３に示す。
　【００１４】
実施例４
グルコースの測定（３）
　実施例２で用いた４，４′，４″−トリ〔Ｎ，Ｎ−ジ（３−スルホプロピル）アミノ〕トリフェニルメタン　六ナトリウム塩の代りにビス〔４−〔（Ｎ−エチル−Ｎ−スルホプロピル）アミノ〕フェニル〕（４−クロロフェニル）メタン　二ナトリウム塩を用いた試液を用い、実施例２と同様にグルコースを測定し吸光度を測定した。その結果を図４に示す。
　【００１５】
実施例５
コレステロールの測定
　コレステロールオキシダーゼ（ストレプトマイセス属由来、旭化成社製）５０，０００Ｕ／Ｌ、コレステロールエステラーゼ（シュードモナス属由来、旭化成社製）１０，０００Ｕ／Ｌ、ＳＯＤ１２０，０００Ｕ／Ｌ、ＰＯＤ１，５００Ｕ／Ｌ、４，４′，４″−トリ〔Ｎ，Ｎ−ジ（３−スルホプロピル）アミノ〕トリフェニルメタン　六ナトリウム塩１５０μＭを含むトリス−コハク酸緩衝液（ｐＨ＝６．５，５０ｍＭ、ＴｒｉｔｏｎＸ−１００　０．１％を含む）の試液２ｍｌにコレステロール（０〜１０ｍｇ／ｄｌ）を含む被検液１０μｌを加え、３７℃で５分間放置した。放置後波長５９５ｎｍにて０ｍｇ／ｄｌコレステロールを対照に吸光度を測定した。
　同様にして前記試液からＳＯＤを除いて測定したものと比較し、その結果を図５に示す。
　【００１６】
実施例６
尿酸の測定
　ウリカーゼ（酵母由来、東洋紡績社製）５０，０００Ｕ／Ｌ、ＳＯＤ１２０，０００Ｕ／Ｌ、ＰＯＤ１，５００Ｕ／Ｌ、４，４′，４″−トリ〔Ｎ，Ｎ−ジ（３−スルホプロピル）アミノ〕トリフェニルメタン　六ナトリウム塩１５０μＭを含むトリス−コハク酸緩衝液（ｐＨ＝８．５，５０ｍＭ）の試液２ｍｌに尿酸（０〜５ｍｇ／ｄｌ）を含む被検液１０μｌを加え、３７℃で５分間放置した。放置後、波長５９５ｎｍにて０ｍｇ／ｄｌ尿酸を対照に吸光度を測定した。
　同様にして前記試液からＳＯＤを除いて測定したものと比較し、その結果を図６に示す。
　【００１７】
実施例７
ガラクトースの測定
　ガラクトースオキシダーゼ（ダクチリウム由来、東洋紡績社製）１０００Ｕ／Ｌ、ＳＯＤ１２０，０００Ｕ／Ｌ、ＰＯＤ１，５００Ｕ／Ｌ、４，４′，４″−トリ〔Ｎ，Ｎ−ジ（３−スルホプロピル）アミノ〕トリフェニルメタン　六ナトリウム塩１５０μＭを含むトリス−コハク酸緩衝液（ｐＨ＝７．０，５０ｍＭ）の試液２ｍｌにガラクトース（０〜５ｍｇ／ｄｌ）を含む被検液１０μｌを加え、３７℃で５分間放置した。放置後波長５９５ｎｍにて０ｍｇ／ｄｌガラクトースを対照に吸光度を測定した。
　同様にして前記試液からＳＯＤを除いて測定したものと比較し、その結果を図７に示す。
　【００１８】
実施例８
乳酸の測定
　乳酸オキシダーゼ（ダクチリウム由来、旭化成社製）１０００Ｕ／Ｌ、ＳＯＤ１２０，０００Ｕ／Ｌ、ＰＯＤ１，５００Ｕ／Ｌ、４，４′，４″−トリ〔Ｎ，Ｎ−ジ（３−スルホプロピル）アミノ〕トリフェニルメタン　六ナトリウム塩１５０μＭを含むトリス−コハク酸緩衝液（ｐＨ＝７．０，５０ｍＭ）の試液２ｍｌに乳酸（０〜５ｍｇ／ｄｌ）を含む被検液１０μｌを加え、３７℃で５分間放置した。放置後波長５９５ｎｍにて０ｍｇ／ｄｌ乳酸を対照に吸光度を測定した。
　同様にして前記試液からＳＯＤを除いて測定したものと比較し、その結果を図８に示す。
　【００１９】
実施例９
グルコースオキシダーゼの活性測定
　１４０ｍＭグルコース、ＳＯＤ１２０，０００Ｕ／Ｌ、ＰＯＤ２，０００Ｕ／Ｌ、４，４′，４″−トリ〔Ｎ，Ｎ−ジ（３−スルホプロピル）アミノ〕トリフェニルメタン　六ナトリウム塩１５０μＭを含むトリス−コハク酸緩衝液（ｐＨ＝５．５，５０ｍＭ）３ｍｌを３７℃の恒温セル（１ｃｍ角）に入れ、２０分間放置する。セル内の温度が一定になったならばグルコースオキシダーゼ（０〜２００Ｕ／Ｌ）を含む被検液５０μｌを添加して、波長５９５ｎｍにて吸光度の増加量を測定した。同様にしてＳＯＤを含まない試液にて測定したものと比較し、その結果を図９に示す。
　【００２０】
　【発明の効果】
　本発明の方法は、実施例に示された通りＰＯＤと前記一般式（Ｉ）で表わされるトリフェニルメタン誘導体を用い、ＳＯＤの存在下に行うことにより過酸化水素濃度として０．１μＭ程度までの測定が可能である。従来の方法に比べ２〜４倍の感度で行うことができる。
【図面の簡単な説明】
　【図１】
　本発明による過酸化水素の測定図である。
　【図２】
　本発明による発色試薬として４，４′，４″−トリ〔Ｎ，Ｎ−ジ（３−スルホプロピル）アミノ〕トリフェニルメタン　六ナトリウム塩を用いたグルコースの測定図である。
　【図３】
　本発明による発色試薬としてビス〔４−〔（Ｎ−エチル−Ｎ−スルホプロピル）アミノ〕フェニル〕〔４−（Ｎ，Ｎ−ジエチルアミノ）フェニル〕メタン　二ナトリウム塩を用いたグルコースの測定図である。
　【図４】
　本発明による発色試薬としてビス〔４−〔（Ｎ−エチル−Ｎ−スルホプロピル）アミノ〕フェニル〕（４−クロロフェニル）メタン　二ナトリウム塩を用いたグルコースの測定図である。
　【図５】
　本発明によりコレステロールを測定した時の測定図である。
　【図６】
　本発明により尿酸を測定した時の測定図である。
　【図７】
　本発明によりガラクトースを測定した時の測定図である。
　【図８】
　本発明により乳酸を測定した時の測定図である。
　【図９】
　本発明によりグルコースオキシダーゼの活性を測定した時の測定図である。
【図面】